(57)【要約】【課題】所定の領域に分割して輝度値の調整を行う光源を限定することで、輝度値を調整するための構成を簡略化することができる表示装置および表示方法を提供すること。【解決手段】赤、緑、青で発光する光源の発光効率は、各色で異なり必ずしも赤、緑、青の全てについて輝度値を調整する必要性が大きいとは言えない。このことを考慮して、所定の領域に分割して輝度値の調整を行う光源を限定して輝度値の調整を行うことにより、輝度値を調整するための構成を簡略化することができる。【選択図】図１
2008164863.tif 000002
【特許請求の範囲】
【請求項１】
画像データを受信する画像データ受信部と、
前記画像データ受信部で受信した画像データに基づいて、画像を表示する表示部と、
複数の領域に分割して制御され、前記表示部に対して第１の色の光を供給する第１の光源と、
１つの領域として一括して制御され、前記表示部に対して第２の色の光を供給する第２の光源と、
前記画像データ受信部で受信した前記画像データの前記第１の光源の複数の領域に対応する画像データから、前記第１の光源の複数の領域の各輝度値を算出する第１の輝度値算出部と、
前記画像データ受信部で受信した前記画像データから前記第２の光源の輝度値を算出する第２の輝度値算出部と、
前記第１または第２の輝度値算出部が算出した各輝度値に基づいて前記第１または第２の光源の点灯を制御する光源制御部と
を具備したことを特徴とする表示装置。
【請求項２】
前記第１または第２の光量算出部が算出した各輝度値と前記画像データ受信部が受信した画像データに基づいて、前記画像データを補正する画像データ補正部を更に具備したことを特徴とする請求項1記載の表示装置。
【請求項３】
前記表示部に対して第３の色の光を供給する第３の光源を更に具備したことを特徴とする請求項１記載の表示装置。
【請求項４】
画像データを受信するステップと、
前記受信した画像データに基づいて表示部に画像を表示させるステップと
前記表示部に対して第１の色の光を供給する第１の光源の輝度値を複数の領域ごとに算出するステップと、
前記表示部に対して第２の色の光を供給する第２の光源の輝度値を１つの領域から算出するステップと、
前記算出した各輝度値に基づいて前記第１または第２の光源の点灯を制御するステップと
を具備したことを特徴とする表示方法。
【発明の詳細な説明】
【技術分野】
【０００１】
本発明は、透過型のバックライトを用いた表示装置および表示方法に関する。
【背景技術】
【０００２】
従来、透過型のバックライトを有する表示装置では、赤、緑、青で発光する光源が知られている。このような光源では、光源を所定の領域に分割し、分割された光源ごとに輝度値の調整を行うことによって光源全体で消費する電力を抑制している（例えば、特許文献１参照）。
【特許文献１】特開２００５−２４１６７８号公報
【発明の開示】
【発明が解決しようとする課題】
【０００３】
しかしながら、上記の技術では赤、緑、青の全ての光源を所定の領域に分割し、輝度値の調整を行うため、一個の領域につき３色の光源の調整が必要でありデータ処理量が多大なものになっていた。データ処理量が多大なものになると、輝度値を調整するための構成が複雑になってしまう。
赤、緑、青の発光効率は異なるので、必ずしも赤、緑、青の全てについて調整する必要性が大きいとは言えない。
【０００４】
上記に鑑み、本発明は、所定の領域に分割して輝度値の調整を行う光源を限定することで、輝度値を調整するための構成を簡略化することができる表示装置および表示方法を提供することを目的とする。
【課題を解決するための手段】
【０００５】
上記の目的を達成するために本発明の一形態にかかる表示装置は画像データを受信する画像データ受信部と、前記画像データ受信部で受信した画像データに基づいて、画像を表示する表示部と、複数の領域に分割して制御され、前記表示部に対して第１の色の光を供給する第１の光源と、１つの領域として一括して制御され、前記表示部に対して第２の色の光を供給する第２の光源と、前記画像データ受信部で受信した前記画像データの前記第１の光源の複数の領域に対応する画像データから、前記第１の光源の複数の領域の各輝度値を算出する第１の輝度値算出部と、前記画像データ受信部で受信した前記画像データから前記第２の光源の輝度値を算出する第２の輝度値算出部と、前記第１または第２の輝度値算出部が算出した各輝度値に基づいて前記第１または第２の光源の点灯を制御する光源制御部とを具備したことを特徴とする。
【０００６】
本発明の一形態にかかる表示方法は、画像データを受信するステップと、前記受信した画像データに基づいて表示部に画像を表示させるステップと前記表示部に対して第１の色の光を供給する第１の光源の輝度値を複数の領域ごとに算出するステップと、前記表示部に対して第２の色の光を供給する第２の光源の輝度値を１つの領域から算出するステップと、前記算出した各輝度値に基づいて前記第１または第２の光源の点灯を制御するステップとを具備したことを特徴とする
【発明の効果】
【０００７】
本発明によれば、所定の領域に分割して輝度値の調整を行う光源を限定することで、輝度値を調整するための構成を簡略化することができる。
【発明を実施するための最良の形態】
【０００８】
以下図面を参照して、本発明の一形態にかかる実施の形態を詳細に説明する。図１は、本発明の実施の一形態にかかる表示装置１の構成を示すブロック図である。
同図に示すように、表示装置１は、光源ユニット３を多数配置してなるバックライト５、表示部７、画像データ受信部１０、画像特徴抽出部２０、光源制御部３０、画素値補正部５０、画像表示制御部６０を備える。
【０００９】
バックライト５は、光源ユニット列３ａ、３ｂ、３ｃ、３ｄ、３ｅ、３ｆから構成されている。光源ユニット列３ａ〜３ｆまでの形状は、表示部７が有する液晶パネル７１の形状に対応している。
各光源ユニット列は複数の光源ユニット３を縦に並べて配置したものである。
光源ユニット３は、赤ＬＥＤ（Light Emitting Diode）３１、緑ＬＥＤ３２、青ＬＥＤ３３を有している。赤ＬＥＤ３１は第２の色で発光する第２の光源である。緑ＬＥＤ３２は第１の色で発光する第１の光源である。青ＬＥＤ３３は第３の色で発光する第３の光源である。
【００１０】
本実施形態では、一個の光源ユニット３中に赤ＬＥＤ３１、緑ＬＥＤ３２、青ＬＥＤ３３が一個づつ配置されている。しかし、各ＬＥＤ３１、３２、３３の配置はこれに限定されず例えば、一個の赤ＬＥＤ３１、二個の緑ＬＥＤ３２、一個の青ＬＥＤ３３を一組としてもよい。
緑ＬＥＤ３２は光源制御部３０によって光源ユニット列３ａ〜３ｆごとに独立して点消灯が制御される。緑ＬＥＤ３２は赤ＬＥＤ３１、青ＬＥＤ３３よりも発光効率が悪く電力を多く消費する。
赤ＬＥＤ３１、青ＬＥＤ３３の光源制御部３０による点消灯の制御は一括しておこなわれる。
【００１１】
詳細な図示は省略したが、バックライト５は液晶パネル７１の背面に配置される。このとき液晶パネル７１とバックライト５との間には一対の拡散板とこの拡散板に挟まれたプリズムシートが設けられる。拡散板はバックライト５から供給された光を散乱、拡散させ液晶パネル７１全体に均一な光を供給するためのものである。
プリズムシートは、バックライト５から供給された光の輝度値を向上させるためのものである。
【００１２】
表示部７は、液晶パネル７１、ゲートドライバ７２、ソースドライバ７３から主に構成されている。表示部７は画像データ受信部１０が受信した画像データに基づいて液晶パネル７１に画像を表示させる。
液晶パネル７１には光源ユニット３からの光が供給される。光源ユニット３の赤ＬＥＤ３１、青ＬＥＤ３３の光は液晶パネル７１全体に均一に供給される。緑ＬＥＤ３２からの光の供給は、光源ユニット列ごとに独立して行われる。
すなわち、液晶パネル７１は光源ユニット列３ａ〜３ｆに対応した緑ＬＥＤ光供給領域７１ａ、７１ｂ、７１ｃ、７１ｄ、７１ｅ、７１ｆを有している。
【００１３】
液晶パネル７１の画像の表示はゲートドライバ７２、ソースドライバ７３が液晶パネル７１を制御することで行う。
液晶パネル７１は、特別図示をしないが２枚のガラスの間に液晶材料をはさみこのガラス上に走査線とデータ線を格子状に配置して構成される。液晶材料には走査線とデータ線の駆動によって電圧が印加される。液晶パネル７１は印加された電圧に対応して光源ユニット３から供給される光の透過率が変化する。
走査線とデータ線はそれぞれ液晶パネル７１端に配置したゲートドライバ７２およびソースドライバ７３によって駆動が制御される。
【００１４】
ゲートドライバ７２は走査線にパルス状の電圧波形を順次出力する機能を有する。
ソースドライバ７３はゲートドライバ７２によるパルス状の電圧波形の出力に対応して液晶材料に電圧を印加する。
画像データ受信部１０は例えば、屋外に設置されたアンテナ（図示せず）と接続されており、このアンテナを介して画像データを受信する。
この場合には例えば、地上アナログ波、地上デジタル波、衛星放送用電波などに乗せられた種々の画像データが受信可能である。
【００１５】
また、画像データ受信部１０は、図示はしないが種々の画像再生機器（例えば、ＨＤ−ＤＶＤプレーヤや同レコーダ、ＤＶＤプレーヤや同レコーダなど）とも接続することができる。この場合には、画像データ受信部１０は画像再生機器が読み出した画像データを受信する。
画像データ受信部１０は受信した画像データを画像特徴抽出部２０および画素値補正部５０に出力する。画像データは赤、緑、青いずれかの色の画素のデータから構成されている。
【００１６】
以下、赤色の画素のデータは赤色画素データ、緑色の画素のデータは緑色画素データ、青色の画素のデータは青色画素データと称す。
これら赤色画素データ、緑色画素データ、青色画素データはそれぞれの色の明るさを示す情報有している。
画像データ受信部１０による画像データの出力はこの赤色画素データ、緑色画素データ、青色画素データが順次出力されるということである。
【００１７】
画像特徴抽出部２０は、赤画像特徴抽出部２１と、青画像特徴抽出部２２と、緑画像抽出バッファ２３と、緑画像特徴抽出部２４と、輝度値算出部２６とから構成されている。
画像特徴抽出部２０は入力された赤色画素データ、緑色画素データ、青色画素データが有する値に基づいて参照値を抽出する。
この参照値は、光源制御部３０がＬＥＤを制御する際に必要な輝度値を、輝度値算出部２６が算出する際に参照される。
【００１８】
参照値は赤色画素データ、緑色画素データ、青色画素データが有するそれぞれの最大値である。光源制御部３０がこの最大値を参照することで、表示部７で全ての画素を表示可能な輝度値で光源ユニット３が有する各色のＬＥＤ３１、３２、３３を点灯することができる。
赤画像特徴抽出部２１には画像データ受信部１０が出力した赤色画素データが入力される。赤画像特徴抽出部２１は入力された赤色画素データが有する値の大小の比較を行う。
【００１９】
そして赤画像特徴抽出部２１は比較した赤色画素データの中で最も大きな値（以下、Ｒｍａｘと称す。）を抽出する。Ｒｍａｘは光源制御部３０が赤ＬＥＤ３１を点消灯する際に参照される。赤画像特徴抽出部２１は抽出したＲｍａｘを輝度値算出部２６へ出力する。
青画像特徴抽出部２２には画像データ受信部１０が出力した青色画素データが入力される。青画像特徴抽出部２２は入力された全ての青色画素データの値の大小の比較を行う。
【００２０】
そして青画像特徴抽出部２２は比較した青色画素データの中で最も大きな値（以下、Ｂｍａｘと称す。）を抽出する。Ｂｍａｘは光源制御部３０が青ＬＥＤ３３を点消灯する際に参照される。青画像特徴抽出部２２は抽出したＢｍａｘを輝度値算出部２６へ出力する。
緑画像抽出バッファ２３には画像データ受信部１０が出力した緑色画素データが入力される。緑画像抽出バッファ２３は入力された緑色画素データを液晶パネル７１の緑ＬＥＤ３２の光供給領域７１ａ〜７１ｆに対応するよう記憶する。
【００２１】
緑画像特徴抽出部２４は緑画像抽出バッファ２３に記憶された緑色画素データが持つ値の大小の比較を行う。緑画像特徴抽出部２４による値の大小の比較は緑ＬＥＤ３２の光供給領域７１ａ〜７１ｆに対応した緑色画素データごとに行われる。
緑画像特徴抽出部２４は比較した緑色画素データの中で最も大きな値（以下、Ｇｍａｘと称す。）を抽出する。
すなわち緑画像特徴抽出部２４によりＧｍａｘは、緑ＬＥＤ３２の光供給領域７１ａ〜７１ｆに対応してＧｍａｘａ〜Ｇｍａｘｆまで複数抽出されることになる。
【００２２】
Ｇｍａｘａ〜Ｇｍａｘｆは光源制御部３０が緑ＬＥＤ３２を点消灯する際に参照される。緑画像特徴抽出部２４は抽出したＧｍａｘａ〜Ｇｍａｘｆを輝度値算出部２６へ出力する。
輝度値算出部２６は、入力されたＲｍａｘ、Ｇｍａｘａ〜Ｇｍａｘｆ、Ｂｍａｘに対応したＲ用輝度値Ｌ１、Ｇ用輝度値Ｌａ〜Ｌｆ、Ｂ用輝度値Ｌ２を算出する。
Ｒ用輝度値Ｌ１は赤ＬＥＤ３１が点灯された際の輝度値である。Ｇ用輝度値Ｌａ〜Ｌｆは緑ＬＥＤ３２が点灯された際の輝度値である。Ｂ用輝度値Ｌは青ＬＥＤ３３が点灯された際の輝度値である。
【００２３】
輝度値算出部２６によるＲ用輝度値Ｌ１の算出は以下の演算式で行われる。
Ｌ１＝Ｌ０×（Ｒｍａｘ／Ｒ０）
Ｌ１は補正後の光源の輝度値。Ｌ０は基準輝度値。Ｒｍａｘは赤画像特徴抽出部２１が抽出した赤色画素データの最も大きな値。Ｒ０は画素データの表示可能な最大値。
基準輝度値Ｌ０は輝度値算出部２６があらかじめ記憶している。赤色画素データの表示可能な最大値Ｒ０は例えば、画素データが１０ビットデータだった場合（２＾１０−１）である。
【００２４】
補正後の光源の輝度値Ｌ１は、赤画像特徴抽出部２１が抽出した赤色画素データの最も大きな値の変化に対応して適宜補正される。
Ｇ用輝度値Ｌａ〜Ｌｆは以下の演算式で行われる。
Ｌｙ＝Ｌ０×（Ｇｍａｘｙ／Ｇ０）
ＬｙはＬａ〜Ｌｆに対応する補正後の光源の輝度値。Ｌ０は光源の基準輝度値。Ｇｍａｘｙは緑画像特徴抽出部２４が抽出した緑ＬＥＤ３２の光供給領域７１ａ〜７１ｆに対応する緑色画素データの最も大きな値。Ｇ０は緑色画素データの表示可能な最大値。
【００２５】
Ｂ用輝度値Ｌ２は以下の演算式で行われる。
Ｌ２＝Ｌ０×（Ｂｍａｘ／Ｂ０）
Ｌ２は補正後の光源の輝度値。Ｌ０は光源の基準輝度値。Ｂｍａｘは青画像特徴抽出部２２が抽出した青色画素データの最も大きな値。Ｂ０は画素データの表示可能な最大値。
光源制御部３０は輝度値算出部２６が出力したＲ用輝度値Ｌ１、Ｇ用輝度値Ｌａ〜Ｌｆ、Ｂ用輝度値Ｌ２に基づいて赤ＬＥＤ３１、緑ＬＥＤ３２、青ＬＥＤ３３の点消灯を制御する。
【００２６】
このとき、光源制御部３０による緑ＬＥＤ３２の点消灯制御は光源ユニット列３ａ〜３ｆごとに独立して行われる。
なお光源制御部３０による各ＬＥＤ３１、３２，３３の点消灯制御は点灯、消灯だけでなく調光も含まれる。
画素値補正部５０は赤画素値補正部５１と、緑画素値補正部５２と、青画素値補正部５３とを有している。画素値補正部５０はＲ用輝度値メモリ５１ａ、Ｇ用輝度値メモリ５２ａ、Ｂ用輝度値メモリ５３ａを有している。
【００２７】
Ｒ用輝度値メモリ５１ａ、Ｇ用輝度値メモリ５２ａ、Ｂ用輝度値メモリ５３ａには基準輝度値Ｌ０が記憶されている。
画素値補正部５０には、画像データ受信部１０が受信した画像データの赤色画素データ、緑色画素データ、青色画素データが順次入力される。
さらに画素値補正部５０には輝度値算出部２６が算出したＲ用輝度値Ｌ１、Ｂ用輝度値Ｌ２、Ｇ用輝度値Ｌａ〜Ｌｆが入力される。
【００２８】
赤画素値補正部５１は入力されたＲ用輝度値Ｌ１と、画像データ受信部１０から出力された赤色画素データの輝度値に基づいて液晶パネル７１に画像を表示させる際に必要な画素値を算出する。
赤画素値補正部５１は式（１）基づき画素値を算出する。
ＲＰ１＝Ｌ０／Ｌ1×ＲＰ０          …式（１）
ＲＰ１は赤画素値補正部５１で補正後の値。Ｌ０は光源の輝度値。Ｌ１は補正後の光源の輝度値。ＲＰ０は画像データ受信部１０が出力した画素値。
【００２９】
式（１）の導出方法を説明する。
液晶パネル７１に画像を表示させる際に必要な光源の輝度値は以下の演算式によって算出される。
Ｙ０＝Ｌ０×ＲＰ０
Ｙ０は液晶パネル７１の画素の輝度値。Ｌ０は光源の輝度値。ＲＰ０は画像データ受信部１０が出力した画素値。
【００３０】
ここで光源の輝度値Ｌ０は、輝度値算出部２６が算出した光源の輝度値Ｌ１に対応して補正される。光源の輝度値Ｌ０が補正されると、液晶パネル７１の画素の輝度値Ｙ０は変化する。このときの液晶パネル７１の画素の輝度値をＹ１とすると、
Ｙ１＝Ｌ１×ＲＰ１
Ｙ１は変化した液晶パネル７１の画素の輝度値。Ｌ１は補正後の光源の輝度値。ＲＰ１は変化した画素値。
【００３１】
光源の輝度値が補正されると、液晶パネル７１に表示される赤色画素の輝度値が変わってしまうので、変化した液晶パネル７１の画素の輝度値Ｙ１を、変化前の液晶パネル７１の画素の輝度値Ｙ０と同じになるように補正する必要がある。
すなわち
Ｙ０＝Ｙ１
Ｌ０×ＲＰ０＝Ｌ１×ＲＰ１
Ｌ０は輝度値。ＲＰ０は補正前の画素の輝度値。Ｌ１は補正後の光源の輝度値。ＲＰ１は赤画素値補正部５１で補正後の値。
【００３２】
画像表示制御部６０は以上の演算式に基づいて算出された補正後の赤色画素の値になるようゲートドライバ７２、ソースドライバ７３を制御して液晶パネル７１の透過率を変更する。
緑画素値補正部５２は赤画素値補正部５１と同様の動作を、Ｇ用輝度値Ｌａ〜Ｌｆと画像データ受信部１０から出力された緑色画素データを用いて行う。
すなわち
ＧＰ１＝Ｌ０／Ｌｙ×ＧＰ０
【００３３】
ＧＰ１は緑画素値補正部５２で補正後の画素値。Ｌ０は輝度値。ＬｙはＧ用輝度値Ｌａ〜Ｌｆに対応する補正後の光源の輝度値。ＲＰ０は画像データ受信部１０が出力した緑色画素データの画素値。
光源ユニット列３ａ〜３ｆの輝度値は、他の光源ユニット列３ａ〜３ｆの光源の輝度値に影響を受ける。光源ユニット列３ａならば、光源ユニット列３ｂ〜３ｆの光源の輝度値に影響を受ける。光源ユニット３ａへの輝度値の影響は距離に応じて小さくなる。すなわち光源ユニット３ａへの輝度値の影響は光源ユニット３ｆの輝度値が最も小さい。
【００３４】
緑画素値補正部５２は、これらの輝度値の影響も考慮したＧ用輝度Ｌ３ａ〜Ｌ３ｆを、Ｇ用輝度値Ｌａ〜Ｌｆに基づいて算出することもできる。
青画素値補正部５３は赤画素値補正部５１、緑画素値補正部５２と同様の動作を、Ｂ用輝度値Ｌ２と画像データ受信部１０から出力された青色画素データを用いて行う。
すなわち
ＢＰ１＝Ｌ０／Ｌ２×ＢＰ０
ＢＰ１は青画素値補正部５３で補正後の画素値。Ｌ０は輝度値。Ｌ２は補正後の光源の輝度値。ＢＰ０は画像データ受信部１０が出力した青色画素データの値。
【００３５】
以上説明したようにこの表示装置１では、受信した映像データを表示する際に必要な輝度値を、赤ＬＥＤ３１と青ＬＥＤ３３はバックライト５全体で制御される。緑ＬＥＤ３２は、光源ユニット列３ａ〜３ｆ毎に領域分けわれて制御される。
光源ユニット３が有する緑ＬＥＤ３２は他のＬＥＤ３１、３３に比べて発光効率が悪いので、光源ユニット列ごとに分割して点灯を制御することでバックライト５の電力の消費を抑制することができる。
【００３６】
また分割して輝度値の調整を行う光源が緑ＬＥＤ３２に限定されているので、赤ＬＥＤ３１と青ＬＥＤ３３の輝度値の調整を簡略化することができる。
（その他の実施形態）
この発明の表示装置は、上記に限定されることなく種々の変形例が考えられる。
例えば図４に示すように画像特徴抽出部２０が有する画像特徴抽出部２０は緑画像抽出バッファ２３と、緑画像特徴抽出部２４と、メモリ２５と、輝度値算出部２６とで構成することができる。
【００３７】
これに対応して画素値補正部５０は緑画素値補正部５２、Ｇ用輝度値メモリ５２ａで構成することができる。
その他の構成や動作については上記実施の形態と同様であるので対応する箇所に同一の符号を付して詳細な説明は省略する。
このように構成された表示装置１ａでは、Ｒｍａｘ、Ｂｍａｘの抽出は行われない。Ｒｍａｘ、Ｂｍａｘはメモリ２５にあらかじめ記憶しておくことになる。メモリ２５に記憶されたＲｍａｘ、Ｂｍａｘは赤色画素、青色画素の論理上の最大値である。
【００３８】
輝度値算出部２６はメモリ２５に記憶されたＲｍａｘ、Ｂｍａｘを読み出しＲ用輝度値Ｌ１、Ｂ用輝度値Ｌ２を算出する。
画素値補正部５０の緑画素値補正部５２には画像データ受信部１０が出力した緑色画素データと、輝度値算出部２６が算出したＬａ〜Ｌｆが入力される。
画像表示制御部６０には、緑画素値補正部５２が算出した表示部７に表示させるための緑色画素の値と、画像データ受信部１０が出力した赤色画素データ、青色画素データが入力される。
【００３９】
画像表示制御部６０は入力された緑画素値補正部５２から出力された緑色画素の値と、画像データ受信部１０から出力された赤色画素データが有する値と青色画素データが有する値にもとづいて表示部７を制御する。
以上のように構成された表示装置１では、Ｒｍａｘ、Ｂｍａｘを抽出する必要がないため、赤色ＬＥＤ３１および青色ＬＥＤ３３の調整を行う必要がない。
【００４０】
バックライト５は複数の光源ユニット３を横に並べて配置したものを一個のグループとし、それを縦に数列並べて構成することもできる。
この場合、バックライト５は光源ユニット列３ｅ、３ｆ、３Ｇ、３ｈから構成されている。これに対応して液晶パネル７１は緑ＬＥＤ３２の光供給領域７１ｇ、７１ｈ、７１ｉ、７１ｊを有している。
このことを踏まえれば緑画像特徴抽出部２４による領域の分割は、光源ユニット列３ａ〜３ｊのような列ではなく光源ユニット３ごとでもよい。
【図面の簡単な説明】
【００４１】
【図１】本発明の一個の実施形態の表示装置の構成を示すブロック図。
【図２】本発明の他の実施形態の表示装置の構成を示すブロック図。
【符号の説明】
【００４２】
１，１ａ…表示装置、３…光源ユニット、３ａ，３ｂ，３ｃ，３ｄ，３ｅ，３ｆ，３Ｇ，３ｈ，３ｉ，３ｊ…光源ユニット列、３１…赤ＬＥＤ、３２…緑ＬＥＤ、３３…青ＬＥＤ、５…バックライト、７…表示部、７１…液晶パネル、７１ａ，７１ｂ，７１ｃ，７１ｄ，７１ｅ，７１ｆ，７１ｇ，７１ｈ，７１ｉ，７１ｊ…緑ＬＥＤ３２の光供給領域、７２…ゲートドライバ、７３…ソースドライバ、１０…画像データ受信部、２０…画像特徴抽出部、２１…赤画像特徴抽出部、Ｒ１…Ｒ用輝度値、２２…青画像特徴抽出部、Ｂ１…Ｂ用輝度値、２３…緑画像抽出バッファ、２４…緑画像特徴抽出部、Ｇ１…Ｇ用輝度値、２５…メモリ、２６…輝度算出部、３０…光源制御部、５０…画素値補正部、５１…赤画素値補正部、５１ａ…Ｒ用輝度値メモリ、５２…緑画素値補正部、５２ａ…Ｇ用輝度値メモリ、５３…青画素値補正部、５３ａ…Ｂ用輝度値メモリ、６０…画像表示制御部。
【図１】
2008164863.tif 000003
【図２】
2008164863.tif 000004